(57)【特許請求の範囲】
【請求項１】
情報記録媒体の表面に形成される磁気記録部に当接するとともに前記磁気記録部に対して相対的に移動して、前記磁気記録部に記録された磁気情報の読取りおよび／または前記磁気記録部への磁気情報の記録を行う磁気ヘッドと、前記情報記録媒体に向かって前記磁気ヘッドを付勢する付勢部材を有するとともに前記磁気記録部に対する追従が可能となるように前記磁気ヘッドを回動可能に保持するヘッド保持部と、前記磁気記録部に沿って前記磁気ヘッドが移動可能になるように前記ヘッド保持部を支持する支持部と、前記ヘッド保持部を直線状に駆動する駆動機構と、前記情報記録媒体から離れる方向へ前記磁気ヘッドを退避させる退避機構と、前記磁気ヘッドの端子に一端が接続されるフレキシブルプリント基板と、制御基板とを備え、
前記制御基板は、前記支持部に固定され、
前記フレキシブルプリント基板の他端は、前記制御基板に接続され、
前記ヘッド保持部は、前記磁気ヘッドの回動中心となる回動中心軸が固定されるとともに前記フレキシブルプリント基板の、前記磁気ヘッドの前記端子に接続される一端と前記制御基板に接続される他端との間の一部が固定される基板固定部材と、前記磁気ヘッドが固定されるとともに前記回動中心軸を中心に回動可能なヘッド固定部材と、本体部とを備え、
前記基板固定部材は、前記本体部に対して回動可能となっており、
前記基板固定部材が前記本体部に対して回動すると、前記磁気ヘッドが前記情報記録媒体に当接する位置と前記磁気ヘッドが前記情報記録媒体から離れる位置との間で前記磁気ヘッドが移動し、
前記本体部には、前記フレキシブルプリント基板の、前記基板固定部材に固定される部分と前記制御基板に接続される他端との間の一部が固定される基板固定部が形成されていることを特徴とする媒体リーダ。
【請求項２】
前記退避機構は、前記ヘッド保持部が所定位置まで移動すると前記情報記録媒体から離れる方向へ前記磁気ヘッドを退避させることを特徴とする請求項１記載の媒体リーダ。
【請求項３】
前記フレキシブルプリント基板は、前記退避機構によって退避していた前記磁気ヘッドが前記磁気記録部に当接するときに、磁気ギャップが形成される前記磁気ヘッドの先端部と前記情報記録媒体の表面とが略平行になるように引き回されていることを特徴とする請求項１または２記載の媒体リーダ。
【請求項４】
前記磁気ヘッドの、前記先端部の反対側となる基端側の端面を他端面とすると、
前記フレキシブルプリント基板の一端は、前記磁気ヘッドの前記他端面に形成される前記端子に接続され、
前記フレキシブルプリント基板は、前記退避機構によって退避していた前記磁気ヘッドが前記磁気記録部に当接するときに、前記フレキシブルプリント基板の前記磁気ヘッドへの接続部と前記情報記録媒体の表面とが略平行になるように、かつ、前記磁気ヘッドと前記基板固定部材との間で前記フレキシブルプリント基板の一部が弛むように、前記基板固定部材に固定されていることを特徴とする請求項３記載の媒体リーダ。
【請求項５】
前記磁気ヘッドと前記基板固定部材との間において、前記フレキシブルプリント基板には折り目が形成されずに、前記フレキシブルプリント基板は略円弧状に撓んでいることを特徴とする請求項４記載の媒体リーダ。
【請求項６】
前記基板固定部材には、前記フレキシブルプリント基板が固定される固定面が形成され、
前記固定面は、前記磁気ヘッドが前記磁気記録部に当接している状態において、前記情報記録媒体の表面に略直交する方向に対して傾いていることを特徴とする請求項４または５記載の媒体リーダ。
【請求項７】
前記基板固定部材には、前記フレキシブルプリント基板が固定される固定面が形成され、
前記固定面は、前記磁気ヘッドが前記磁気記録部に当接している状態において、前記磁気ヘッドが前記情報記録媒体の表面に正対する方向に対して傾いていることを特徴とする請求項４または５記載の媒体リーダ。
【発明の詳細な説明】
【技術分野】
【０００１】
本発明は、通帳等の情報記録媒体に当接して磁気情報の読取りや記録を行う磁気ヘッドを備える媒体リーダに関する。
【背景技術】
【０００２】
従来、通帳に当接して磁気情報の読取りや記録を行う磁気ヘッドを備える磁気リーダライタ装置が知られている（たとえば、特許文献１参照）。この特許文献１に記載の磁気リーダライタ装置では、磁気ヘッドを回動可能に保持するヘッドユニットが、２本のディスタンスロッドによって固定される２枚の側板の間をディスタンスロッドに沿って移動可能となっている。また、この磁気リーダライタ装置では、ヘッドユニットに取り付けられるネジリコイルバネによって磁気ヘッドが通帳に向かう方向へ付勢されている。また、この磁気リーダライタ装置では、ヘッドユニットが所定位置まで移動すると、２枚の側板の間に固定されたガイド板とヘッドユニットに取り付けられたローラとの作用で、ネジリコイルバネの付勢力に抗して、磁気ヘッドが通帳から離れる方向へ退避する。
【０００３】
また、特許文献１に記載の磁気リーダライタ装置は、装置を制御するための基板として、２枚の側板に固定されるメイン基板と、ヘッドユニットに固定されるサブ基板とを備えている。メイン基板とサブ基板との間は、フラットケーブル（フレキシブルプリント基板）によって電気的に接続されている。なお、特許文献１には、磁気ヘッドとサブ基板とを電気的に接続するための手段は明確に開示されていないが、一般的に、磁気ヘッドとサブ基板との間は、比較的柔らかな複数のリード線によって電気的に接続されている。
【先行技術文献】
【特許文献】
【０００４】
【特許文献１】特開平８−２３５８０２号公報
【発明の概要】
【発明が解決しようとする課題】
【０００５】
特許文献１に記載の磁気リーダライタ装置のように、通帳に対して磁気情報の読取りや記録を行う装置では、上述のように、磁気ヘッドの端子に複数のリード線が接続されている。すなわち、この装置では、複数のリード線を１本ずつ磁気ヘッドに接続しなければならない。また、この装置では、比較的柔らかなリード線が磁気ヘッドの端子に接続されるため、複数のリード線の引き回しを規定通りの引き回し（設計通りの引き回し、目論見通りの引き回し）にするのに、作業者の熟練した技能が要求される。このように、従来の装置では、磁気ヘッドと制御用の基板とを電気的に接続する際の作業性が悪い。
【０００６】
そこで、本発明の課題は、磁気ヘッドと制御基板とを電気的に接続する際の作業性を向上させることが可能な媒体リーダを提供することにある。
【課題を解決するための手段】
【０００７】
上記の課題を解決するため、本発明の媒体リーダは、情報記録媒体の表面に形成される磁気記録部に当接するとともに磁気記録部に対して相対的に移動して、磁気記録部に記録された磁気情報の読取りおよび／または磁気記録部への磁気情報の記録を行う磁気ヘッドと、情報記録媒体に向かって磁気ヘッドを付勢する付勢部材を有するとともに磁気記録部に対する追従が可能となるように磁気ヘッドを回動可能に保持するヘッド保持部と、磁気記録部に沿って磁気ヘッドが移動可能になるようにヘッド保持部を支持する支持部と、ヘッド保持部を直線状に駆動する駆動機構と、情報記録媒体から離れる方向へ磁気ヘッドを退避させる退避機構と、磁気ヘッドの端子に一端が接続されるフレキシブルプリント基板と、制御基板とを備え、制御基板は、支持部に固定され、フレキシブルプリント基板の他端は、制御基板に接続され、ヘッド保持部は、磁気ヘッドの回動中心となる回動中心軸が固定されるとともにフレキシブルプリント基板の、磁気ヘッドの端子に接続される一端と制御基板に接続される他端との間の一部が固定される基板固定部材と、磁気ヘッドが固定されるとともに回動中心軸を中心に回動可能なヘッド固定部材と、本体部とを備え、基板固定部材は、本体部に対して回動可能となっており、基板固定部材が本体部に対して回動すると、磁気ヘッドが情報記録媒体に当接する位置と磁気ヘッドが情報記録媒体から離れる位置との間で磁気ヘッドが移動し、本体部には、フレキシブルプリント基板の、基板固定部材に固定される部分と制御基板に接続される他端との間の一部が固定される基板固定部が形成されていることを特徴とする。
【０００８】
本発明の媒体リーダでは、磁気ヘッドの端子にフレキシブルプリント基板が接続されている。そのため、１回の接続作業で磁気ヘッドの複数の端子にフレキシブルプリント基板を接続することが可能になる。また、フレキシブルプリント基板は、比較的剛性が高いため（すなわち、こしが強い（弾力性に富む）ため）、比較的容易に規定通りの引き回し（設計通りの引き回し、目論見通りの引き回し）を行うことが可能になる。したがって、本発明では、磁気ヘッドと制御基板とを電気的に接続する際の作業性を向上させることが可能になる。
【０００９】
また、本発明では、比較的こしの強いフレキシブルプリント基板が磁気ヘッドに接続され、かつ、上述のように、フレキシブルプリント基板を比較的容易に規定通りに引き回すことが可能になる。したがって、磁気ヘッドが情報記録媒体へ向かう動作と情報記録媒体から離れる動作とを繰り返すために、フレキシブルプリント基板が繰り返しで屈曲する場合であっても、フレキシブルプリント基板の所定箇所に屈曲時の荷重が集中するのを防止することが可能になる。したがって、本発明では、疲労に起因する磁気ヘッドと制御基板との間の断線を抑制することが可能となり、媒体リーダの耐久性を向上させることが可能になる。また、本発明では、フレキシブルプリント基板の他端が制御基板に接続されており、フレキシブルプリント基板と制御基板とが直接、接続されているため、特許文献１に記載の磁気リーダライタ装置のように、リード線、サブ基板およびフラットケーブルを使用して、磁気ヘッドと制御基板とを接続する場合と比較して、磁気ヘッドと制御基板とを電気的に接続する際の作業性を大幅に向上させることが可能になる。また、フレキシブルプリント基板と制御基板とを接続するための部材を別途、設ける必要がなくなるため、媒体リーダの構成を簡素化することができる。
【００１０】
本発明において、退避機構は、ヘッド保持部が所定位置まで移動すると情報記録媒体から離れる方向へ磁気ヘッドを退避させる。
【００１２】
本発明において、フレキシブルプリント基板は、退避機構によって退避していた磁気ヘッドが磁気記録部に当接するときに、磁気ギャップが形成される磁気ヘッドの先端部と情報記録媒体の表面とが略平行になるように引き回されていることが好ましい。たとえば、磁気ヘッドの、先端部の反対側となる基端側の端面を他端面とすると、フレキシブルプリント基板の一端は、磁気ヘッドの他端面に形成される端子に接続され、フレキシブルプリント基板は、退避機構によって退避していた磁気ヘッドが磁気記録部に当接するときに、フレキシブルプリント基板の磁気ヘッドへの接続部と情報記録媒体の表面とが略平行になるように、かつ、磁気ヘッドと基板固定部材との間でフレキシブルプリント基板の一部が弛むように、基板固定部材に固定されていることが好ましい。このように構成すると、比較的こしの強いフレキシブルプリント基板を磁気ヘッドに接続する場合であっても、磁気ヘッドを磁気記録部に適切に当接させることが可能になり、媒体リーダでの磁気情報の読取り品質や記録品質の低下を抑制することが可能になる。
【００１３】
本発明において、磁気ヘッドと基板固定部材との間では、フレキシブルプリント基板には折り目が形成されずに、フレキシブルプリント基板は略円弧状に撓んでいることが好ましい。このように構成すると、磁気ヘッドが情報記録媒体へ向かう動作と情報記録媒体から離れる動作とを繰り返すために、磁気ヘッドと基板固定部材との間において、フレキシブルプリント基板が繰り返しで屈曲する場合であっても、フレキシブルプリント基板の所定箇所に屈曲時の荷重が集中するのを確実に防止することが可能になる。
【００１４】
本発明において、たとえば、基板固定部材には、フレキシブルプリント基板が固定される固定面が形成され、固定面は、磁気ヘッドが磁気記録部に当接している状態において、情報記録媒体の表面に略直交する方向に対して傾いている。また、本発明において、基板固定部材には、フレキシブルプリント基板が固定される固定面が形成され、固定面は、磁気ヘッドが磁気記録部に当接している状態において、磁気ヘッドが情報記録媒体の表面に正対する方向に対して傾いている。
【発明の効果】
【００１５】
以上のように、本発明の媒体リーダでは、磁気ヘッドと制御基板とを電気的に接続する際の作業性を向上させることが可能になる。
【図面の簡単な説明】
【００１６】
【図１】本発明の実施の形態にかかる媒体リーダの斜視図である。
【図２】図１に示す通帳を示す図であり、（Ａ）は開いた状態の通帳の表紙側を示す図、（Ｂ）は開いた状態の通帳の内側を示す図である。
【図３】図１に示す磁気ヘッドおよびキャリッジの斜視図である。
【図４】図１に示す媒体リーダでの磁気ヘッドの動作を説明するための図であり、（Ａ）は磁気ヘッドが通帳に当接している状態を示す図、（Ｂ）は磁気ヘッドが通帳から離れて退避している状態を示す図である。
【発明を実施するための形態】
【００１７】
以下、本発明の実施の形態を図面に基づいて説明する。
【００１８】
（媒体リーダの構成）
図１は、本発明の実施の形態にかかる媒体リーダ１の斜視図である。図２は、図１に示す通帳２を示す図であり、（Ａ）は開いた状態の通帳２の表紙側を示す図、（Ｂ）は開いた状態の通帳２の内側を示す図である。図３は、図１に示す磁気ヘッド３およびキャリッジ４の斜視図である。図４は、図１に示す媒体リーダ１での磁気ヘッド３の動作を説明するための図であり、（Ａ）は磁気ヘッド３が通帳２に当接している状態を示す図、（Ｂ）は磁気ヘッド３が通帳２から離れて退避している状態を示す図である。
【００１９】
本形態の媒体リーダ１は、情報記録媒体である通帳２に記録された磁気情報の読取りおよび／または通帳２への磁気情報の記録を行うための装置であり、ＡＴＭ（Ａｕｔｏｍａｔｅｄ  Ｔｅｌｌｅｒ  Ｍａｃｈｉｎｅ）等の上位装置に搭載されて使用される。この媒体リーダ１は、図１に示すように、磁気情報の読取りや記録を行うための磁気ヘッド３と、磁気ヘッド３を保持するヘッド保持部としてのキャリッジ４と、キャリッジ４を移動可能に支持する支持部５とを備えている。
【００２０】
また、媒体リーダ１は、キャリッジ４を直線状に駆動する駆動機構７と、通帳２に当接している磁気ヘッド３を通帳２から離れる方向へ退避させる退避機構８と、媒体リーダ１を制御するための制御基板９と、磁気ヘッド３と制御基板９とを電気的に接続するフレキシブルプリント基板（Ｆｌｅｘｉｂｌｅ  Ｐｒｉｎｔｅｄ  Ｃｉｒｃｕｉｔｓ）１０（以下、「ＦＰＣ１０」とする。）とを備えている。
【００２１】
なお、以下の説明では、図１に示すように、キャリッジ４の移動方向となるＸ方向を「前後方向」、Ｘ方向に直交するＹ方向を「左右方向」、Ｘ方向およびＹ方向に直交するＺ方向を「上下方向」とする。また、以下の説明では、Ｘ１方向側を「前」側、Ｘ２方向側を「後（後ろ）」側、Ｙ１方向側を「左」側、Ｙ２方向側を「右」側、Ｚ１方向側を「上」側、Ｚ２方向側を「下」側とする。さらに、以下の説明では、Ｘ方向とＹ方向とによって形成される平面をＸＹ平面、Ｙ方向とＺ方向とによって形成される平面をＹＺ平面、Ｚ方向とＸ方向とによって形成される平面をＺＸ平面とする。
【００２２】
通帳２の表紙および／または裏表紙には、図２（Ａ）に示すように、磁気記録部としての磁気ストライプ２ａが形成されている。磁気ストライプ２ａは、細長い長方形状に形成されている。媒体リーダ１が搭載される上位装置内では、磁気ストライプ２ａの長手方向と前後方向（Ｘ方向）とが略一致するように、通帳２が取り扱われる。また、通帳２は、表紙および裏表紙を含む複数の紙が綴り糸２ｂで綴られて２つ折りにされることで形成されており、通帳２の真ん中のページを開くと（すなわち、通帳２を中開きの状態にすると）、図２（Ｂ）に示すように、綴り糸２ｂが見える。
【００２３】
磁気ヘッド３は、媒体リーダ１の上方に配置される通帳２の磁気ストライプ２ａに当接して、磁気ストライプ２ａに記録された磁気情報の読取りや磁気ストライプ２ａへの磁気情報の記録を行う。磁気ヘッド３の上端側（先端側）は、図３に示すように、凸曲面状に形成されている。また、磁気ヘッド３の先端部３ａには、磁気ギャップが形成されている。磁気ヘッド３の下端面には、図４に示すように、複数の端子３ｂが形成されている。この磁気ヘッド３は、磁気ストライプ２ａに対する追従が可能となるように、キャリッジ４に回動可能に保持されている。具体的には、磁気ヘッド３は、前後方向を軸方向とする回動が可能となるように、キャリッジ４に保持されている。
【００２４】
キャリッジ４は、キャリッジ本体部１２と、磁気ヘッド３が固定されるヘッド固定部材１３と、磁気ヘッド３の回動中心となる回動中心軸１４が固定されるとともにＦＰＣ１０の一部が固定される基板固定部材１５と、基板固定部材１５が固定されるとともにキャリッジ本体部１２に対して回動可能な回動部材１６と、磁気ヘッド３の回動範囲を規制するための規制溝１７ａが形成される回動範囲規制部材１７と、通帳２に向かって磁気ヘッド３を付勢する付勢部材としてのネジリコイルバネ１８とを備えている。
【００２５】
キャリッジ本体部１２の右下端側には、ＦＰＣ１０の一部が固定される基板固定部１２ａが形成されている。また、キャリッジ本体部１２の下端側には、支持部５を構成する後述の２本のガイド軸２４が挿通される摺動軸受１９が取り付けられている。具体的には、キャリッジ本体部１２の左端側と右端側の２箇所に摺動軸受１９が取り付けられている。また、キャリッジ本体部１２の下端側には、駆動機構７を構成する後述のメネジ２２が取り付けられている。具体的には、２箇所に取り付けられる摺動軸受１９の間にメネジ２２が取り付けられている。キャリッジ本体部１２の右上端側には、回動部材１６の回動中心となる回動中心軸２０が固定されている。
【００２６】
ヘッド固定部材１３は、図３に示すように、ＹＺ平面に略平行な２枚の平面部１３ｄ、１３ｅおよび２枚の平面部１３ｄ、１３ｅを繋ぐＸＹ平面に略平行な１枚の平面部１３ｆによって構成される前側面部１３ａと、ＹＺ平面に略平行な後側面部１３ｂと、ＺＸ平面に略平行な右側面部１３ｃとを備えている。前側面部１３ａでは、平面部１３ｄが上側に配置され、平面部１３ｅは下側に配置されている。また、平面部１３ｅは、平面部１３ｄよりも前側に配置されている。平面部１３ｆは、平面部１３ｄの下端と平面部１３ｅの上端とを繋いでいる。すなわち、前側面部１３ａは、その下端側が前方向に広がるように形成されている。後側面部１３ｂは、前後方向において前側面部１３ａと所定の間隔をあけた状態で形成されている。上下方向における前側面部１３ａの高さと後面部１３ｂの高さとはほぼ同じになっている。右側面部１３ｃは、前側面部１３ａの上端側（すなわち、平面部１３ｄの上端側）の右端と後側面部１３ｂの上端側の右端とを繋いでいる。
【００２７】
磁気ヘッド３は、ヘッド固定部材１３の上端側に接着で固定されている。具体的には、前側面部１３ａの上端側（すなわち、平面部１３ｄの上端側）と後側面部１３ｂの上端側と右側面部１３ｃとによって磁気ヘッド３が囲まれるように、ヘッド固定部材１３の上端側に磁気ヘッド３が固定されている。前側面部１３ａの下端側および後側面部１３ｂの下端側には、回動中心軸１４が挿通される貫通孔が形成されている。また、後側面部１３ｂの上端側には、規制溝１７ａに係合する係合ピン２１が後ろ側に向かって突出するように固定されている。
【００２８】
基板固定部材１５は、左右方向および上方向が開口する角溝状（コの字状）に形成されるとともに、その右端には、ＦＰＣ１０の一部が固定される基板固定部１５ａが形成されている。上述のように、基板固定部材１５には、回動中心軸１４が固定されている。基板固定部１５ａの詳細な構成については後述する。
【００２９】
図４に示すように、基板固定部材１５は、回動部材１６の左端側に固定されている。回動部材１６の右端側には、回動中心軸２０が挿通される貫通孔が前後方向に貫通するように形成されている。また、左右方向における回動部材１６の中間位置には、ＦＰＣ１０が通過する通過孔１６ａが上下方向に貫通するように形成されている（図３参照）。具体的には、基板固定部１５ａの右下方に通過孔１６ａが形成されている。
【００３０】
ネジリコイルバネ１８には、回動中心軸２０が挿通されている。また、ネジリコイルバネ１８の一端側は、キャリッジ本体部１２に係合し、ネジリコイルバネ１８の他端側は、回動部材１６に係合しており、回動部材１６は、ネジリコイルバネ１８の付勢力で、図４の時計方向に付勢されている。
【００３１】
回動範囲規制部材１７は、キャリッジ本体部１２の後側面に固定されている。規制溝１７ａは、上端が開口する略角溝状に形成されている。
【００３２】
支持部５は、媒体リーダ１の前後方向の側面を構成する２枚の側板２３と、前後方向を軸方向として配置される２本のガイド軸２４と、２枚の側板２３を繋ぐ連結部材２５とを備えている。２本のガイド軸２４は、左右方向に所定の間隔をあけた状態で配置されている。また、ガイド軸２４の両端は、側板２３に取り付けられている。連結部材２５は、２枚の側板２３の右端を繋いでいる。
【００３３】
制御基板９は、長方形状に形成されている。この制御基板９は、２枚の側板２３の下端に固定されており、２枚の側板２３を繋ぐ機能も果たしている。
【００３４】
駆動機構７は、キャリッジ本体部１２に取り付けられるメネジ２２と、メネジ２２が螺合するリードスクリュー２６と、リードスクリュー２６を駆動するための駆動源となるモータ２７とを備えている。リードスクリュー２６は、前後方向を軸方向として、２本のガイド軸２４の間に配置されている。また、リードスクリュー２６の両端のそれぞれは、２枚の側板２３のそれぞれに回転可能に支持されている。リードスクリュー２６の後端側には、プーリやベルト等の伝達機構を介してモータ２７が連結されている。
【００３５】
退避機構８は、キャリッジ４に回転可能に取り付けられるローラ（カムフォロア）２８と、支持部５に固定されるカム板２９とを備えている。ローラ２８は、左右方向における回動部材１６の中間位置に、略左右方向を軸方向とする回転が可能となるように取り付けられている。カム板２９は、前後方向に細長い長尺状に形成されており、前後方向の両端側のそれぞれが２枚の側板２３のそれぞれの左上端側に固定されている。カム板２９の前後方向の両端側には、ローラ２８が当接するカム部２９ａが形成されている（図４（Ｂ）参照）。
【００３６】
本形態では、媒体リーダ１の前後方向の両端側にキャリッジ４が移動すると、ローラ２８がカム部２９ａに当接して、図４（Ｂ）に示すように、磁気ヘッド３が通帳２から離れる方向（すなわち、下方向）へ退避する。一方、媒体リーダ１の前後方向の中間位置にキャリッジ４が移動すると、ローラ２８がカム部２９ａから外れる。ローラ２８がカム部２９ａから外れると、ネジリコイルバネ２８の付勢力で磁気ヘッド３が上方向へ移動して、図４（Ａ）に示すように、通帳２に当接する。
【００３７】
なお、媒体リーダ１が搭載される上位装置内には、図４に示すように、通帳２をガイドするガイド部材５０が磁気ヘッド３に対向するように配置されている。また、この上位装置は、媒体リーダ１の上方まで通帳２を搬送する搬送機構を備えている。
【００３８】
ＦＰＣ１０は、たとえば、２枚のフィルム状の絶縁体と、２枚の絶縁体の間に挟まれる導体箔とを備えている。絶縁体は、たとえば、ポリイミド膜等であり、導体箔は、たとえば、銅箔である。以下、ＦＰＣ１０が固定される基板固定部１５ａの構成とＦＰＣ１０の引き回しについて説明する。
【００３９】
（基板固定部の構成およびＦＰＣの引き回し）
基板固定部１５ａは略平板状に形成されている。この基板固定部１５ａは、前後方向において、ヘッド固定部材１３の前側面部１３ａの下端側と後側面部１３ｂの下端側との間に配置されている。また、基板固定部１５ａは、ヘッド固定部材１３の右側面部１３ｃの右下方に配置されている。基板固定部１５ａの右側の側面は、ＦＰＣ１０の一部が固定される固定面１５ｂとなっている。
【００４０】
固定面１５ｂは、図４（Ａ）に示すように、磁気ヘッド３が通帳２に当接している状態において、上下方向に対して（より具体的には、ＺＸ平面に対して）、図４の時計方向へ角度θだけ傾いている。すなわち、固定面１５ｂは、磁気ヘッド３が通帳２に当接している状態において、通帳２の表面に略直交する方向に対して傾いている。すなわち、固定面１５ｂは、磁気ヘッド３が通帳２に当接している状態において、磁気ヘッド３が通帳２の表面に正対する方向に対して傾いている。なお、角度θは、たとえば、１５°である。
【００４１】
ＦＰＣ１０の一端は、磁気ヘッド３の複数の端子３ｂに半田付けされて接続されている。また、ＦＰＣ１０の他端は、制御基板９に接続されている。
【００４２】
さらに、ＦＰＣ１０の一端側の一部は、リベットやネジ等の固定手段３１によって、固定面１５ｂに固定されている。具体的には、ＦＰＣ１０の一端側の一部は、退避していた磁気ヘッド３がキャリッジ４の移動に伴って通帳２に当接するときに（より具体的には、通帳２に当接する直前に）、図４（Ａ）に示すように、ＦＰＣ１０の磁気ヘッド３への接続部１０ａと通帳２の表面とが略平行になるように（すなわち、接続部１０ａがＸＹ平面と略平行になるように）、固定面１５ｂに固定されている。より具体的には、設計上は、退避していた磁気ヘッド３がキャリッジ４の移動に伴って、中開きの状態の通帳２に当接する直前に、接続部１０ａと通帳２の表面とが略平行になるように、ＦＰＣ１０の一端側の一部が固定面１５ｂに固定されている。また、磁気ヘッド３と基板固定部１５ａとの間でＦＰＣ１０の一部が弛むように、ＦＰＣ１０の一端側の一部が固定面１５ｂに固定されている。より具体的には、磁気ヘッド３と基板固定部１５ａとの間でＦＰＣ１０の一部が略円弧状に撓んで、折れ曲がらないように（すなわち、ＦＰＣ１０に折り目が形成されないように）、ＦＰＣ１０の一端側の一部が固定面１５ｂに固定されている。
【００４３】
このように、本形態では、退避していた磁気ヘッド３がキャリッジ４の移動に伴って通帳２に当接するときに、磁気ヘッド３の先端部３ａと通帳２の表面とが略平行になるように、ＦＰＣ１０が引き回されている。すなわち、本形態では、退避していた磁気ヘッド３がキャリッジ４の移動に伴って通帳２に当接するときに、ＦＰＣ１０のこしの強さに起因した回動中心軸１４を中心とする回動力が磁気ヘッド３に生じないように、ＦＰＣ１０が引き回されている。なお、図４（Ｂ）に示すように、磁気ヘッド３が退避すると、ＦＰＣ１０の撓みによって、回動中心軸１４を中心とする矢印Ｖの方向への回動力が磁気ヘッド３に生じる。
【００４４】
一端側の一部が固定面１５ｂに固定されたＦＰＣ１０は、回動部材１６の通過孔１６ａを通過するように引き回されるとともに、回動部材１６の下側を引き回されている。また、回動部材１６の下側を引き回されたＦＰＣ１０の一部は、図３に示すように、９０°に折り曲げられて、リベットやネジ等の固定手段３２によって、キャリッジ本体部１２の基板固定部１２ａに固定されている。また、図１に示すように、ＦＰＣ１０の他端側は、媒体リーダ１の右端側で引き回されて、制御基板９に接続されている。
【００４５】
（本形態の主な効果）
以上説明したように、本形態では、磁気ヘッド３の複数の端子３ｂにＦＰＣ１０の一端が接続されている。そのため、１回の接続作業で複数の端子３ｂにＦＰＣ１０を接続することができる。また、ＦＰＣ１０は、比較的こしが強いため、比較的容易に規定通りの引き回しを行うことが可能になる。したがって、本形態では、磁気ヘッド３と制御基板９とを電気的に接続する際の作業性を向上させることができる。
【００４６】
特に本形態では、ＦＰＣ１０の他端が制御基板９に直接、接続されているため、特許文献１に記載の磁気リーダライタ装置のように、リード線、サブ基板およびフラットケーブルを使用して、磁気ヘッド３と制御基板９とを接続する場合と比較して、磁気ヘッド３と制御基板９とを電気的に接続する際の作業性を大幅に向上させることができる。また、本形態では、ＦＰＣ１０と制御基板９とを接続するための部材を別途、設ける必要がなくなるため、媒体リーダ１の構成を簡素化することができる。
【００４７】
本形態では、比較的こしの強いＦＰＣ１０によって、磁気ヘッド３と制御基板９とが電気的に接続されている。また、磁気ヘッド３と基板固定部１５ａとの間では、ＦＰＣ１０は略円弧状に撓んで、折れ曲がっていない。したがって、退避機構８とネジリコイルバネ１８との作用で、磁気ヘッド３が通帳２へ向かう動作と通帳２から離れる動作とを繰り返すために、ＦＰＣ１０が繰り返しで屈曲する場合であっても、磁気ヘッド３と基板固定部１５ａとの間において、ＦＰＣ１０の所定箇所に屈曲時の荷重が集中するのを防止することができる。したがって、本形態では、疲労に起因する磁気ヘッド３と制御基板９との間の断線を抑制することが可能となり、媒体リーダ１の耐久性を向上させることが可能になる。
【００４８】
本形態では、退避していた磁気ヘッド３がキャリッジ４の移動に伴って通帳２に当接するときに、磁気ヘッド３の先端部３ａと通帳２の表面とが略平行になるように、ＦＰＣ１０が引き回されている。そのため、比較的こしの強いＦＰＣ１０を磁気ヘッド３に接続する場合であっても、ＦＰＣ１０のこしの強さの影響を抑制して、磁気ヘッド３を磁気ストライプ２ａに適切に当接させることが可能になる。したがって、比較的こしの強いＦＰＣ１０を磁気ヘッド３に接続する場合であっても、媒体リーダ１での磁気情報の読取り品質や記録品質の低下を抑制することが可能になる。
【００４９】
（他の実施の形態）
上述した形態は、本発明の好適な形態の一例ではあるが、これに限定されるものではなく本発明の要旨を変更しない範囲において種々変形実施が可能である。
【００５０】
上述した形態では、固定面１５ｂは、磁気ヘッド３が通帳２に当接している状態において、上下方向に対して図４の時計方向へ角度θだけ傾いている。この他にもたとえば、退避していた磁気ヘッド３がキャリッジ４の移動に伴って通帳２に当接するときに、磁気ヘッド３の先端部３ａと通帳２の表面とが略平行になるように、ＦＰＣ１０を引き回すことができるのであれば、固定面１５ｂは、磁気ヘッド３が通帳２に当接している状態において、上下方向と平行になっていても良い。
【００５１】
上述した形態では、ＦＰＣ１０の他端は制御基板９に直接、接続されている。この他にもたとえば、特許文献１に記載されているように、ＦＰＣ１０の他端がサブ基板に接続され、サブ基板と制御基板９とがＦＰＣ等によって接続されても良い。
【００５２】
上述した形態では、支持部５は、磁気ヘッド３が前後方向へ移動可能になるようにキャリッジ４を支持している。この他にもたとえば、磁気ヘッド３が上下動のみを行うように（すなわち、磁気ヘッド３が通帳２に当接する動作および通帳２から退避する動作のみを行うように）、磁気ヘッド３を保持するヘッド保持部およびこのヘッド保持部を支持する支持部が構成されても良い。この場合には、たとえば、ソレノイド等の駆動源とリンク機構等によって、磁気ヘッド３が略円弧状の軌跡を描きながら、上下動するようにヘッド保持部および支持部が構成される。また、この場合には、たとえば、媒体リーダ１が搭載される上位装置の搬送機構を利用して、通帳２を搬送しながら、磁気情報の再生や記録が行われる。あるいは、ユーザが手動で、通帳２を動かしながら、磁気情報の再生や記録が行われる。
【００５３】
上述した形態では、媒体リーダ１は、通帳２に記録された磁気情報の読取りや通帳２への磁気情報の記録を行うための装置であるが、媒体リーダ１は、磁気カードやパスポート等の通帳２以外の情報記録媒体に記録された磁気情報の読取りや通帳２以外の情報記録媒体への磁気情報の記録を行うための装置であっても良い。
【符号の説明】
【００５４】
１  媒体リーダ
２  通帳（情報記録媒体）
２ａ  磁気ストライプ（磁気記録部）
３  磁気ヘッド
３ａ  先端部
３ｂ  端子
４  キャリッジ（ヘッド保持部）
５  支持部
８  退避機構
９  制御基板
１０  ＦＰＣ（フレキシブルプリント基板）
１０ａ  接続部
１５  基板固定部材
１５ｂ  固定面
１８  ネジリコイルバネ（付勢部材）
【図１】
0005600402.tif 000002
【図２】
0005600402.tif 000003
【図３】
0005600402.tif 000004
【図４】
0005600402.tif 000005